(57)【要約】【課題】比較的構造が簡単で、しかも、指詰防止の効果が得られる指詰防止金具を提供する。また、当該指詰防止金具を折り戸の折り畳み部分に配置することによって、指詰防止の効果が得られる折り戸を提供する。【解決手段】指詰防止金具Ｅは、左右対称的な２つのテンションスプリング６，６と、両テンションスプリング６，６の各保持片６ｂ，６ｂを嵌入させ得る縦溝７ａ，７ａを左右対称的に形成した指詰防止バー７と、前記指詰防止バー７の左右対称的な縦溝７ａ，７ａの上下両端部に嵌入させ得る脚片８ａ，８ａを有するキャップ８とからなっている。この指詰防止金具Ｅを折り戸Ａの左右２枚の扉１，１の折り畳み部分に取り付ける。折り戸Ａの２枚の扉１，１の折り畳み部分の表側においては、折り戸Ａの２枚の扉１，１の連結部が指詰防止バー７で覆い隠され、その部分に隙間が生じないので、指詰を防止できる。【選択図】図４
2010126951.tif 000002
【特許請求の範囲】
【請求項１】
折り戸の折り畳み部分に配置されるものであって、少なくとも、前記折り畳み部分である折り戸の内端面に沿って添装される添装片と、この添装片の前端部に位置し、前記折り畳み部分の表側に位置させ得る保持片と、前記添装片の後端部に位置し、前記折り戸の裏面に対して鋭角をなして前記裏面に係合させ得る弾撥片とで構成される左右対称的な２つのテンションスプリングと、前記両テンションスプリングの各保持片を嵌入させ得る縦溝を左右対称的に形成した指詰防止バーとからなることを特徴とする指詰防止金具。
【請求項２】
テンションスプリングの添装片と保持片と弾撥片の３部材が上下に間隔を置いて配置され、上下２つの保持片と弾撥片とを連結片でそれぞれ連結して一体化したことを特徴とする請求項１記載の指詰防止金具。
【請求項３】
指詰防止バーの左右対称的な縦溝の上下両端部に嵌入させ得る脚片を有するキャップがさらに備えられていることを特徴とする請求項１記載の指詰防止金具。
【請求項４】
折り戸の折り畳み部分である内端面に沿って、請求項１又は２記載の左右対称的な２つのテンションスプリングの各添装片をそれぞれ添装し、両添装片の前端部に位置する各保持片を前記折り畳み部分の表側にそれぞれ位置させるとともに、前記両添装片の後端部に位置する各弾撥片を前記折り戸の裏面に対して鋭角をなして前記裏面にそれぞれ係合させ、前記折り戸の折り畳み部分に上下方向に配置した指詰防止バーの左右対称的な縦溝に、前記両弾撥体の各保持片を嵌入したことを特徴とする指詰防止金具を備えた折り戸。
【請求項５】
１つの折り戸に対して、左右対称的な２つのテンションスプリングが上下に複数組配置されていることを請求項４記載の折り戸。
【請求項６】
指詰防止バーの長さを折り戸の高さに合わせ、この指詰防止バーの左右対称的な縦溝の上下両端部に、キャップの脚片を嵌入して指詰防止バーの上下両端を前記キャップで覆ったことを特徴とする請求項４記載の折り戸。
【発明の詳細な説明】
【技術分野】
【０００１】
本発明は、折り戸の折り畳み部分に配置されるものであって、折り戸の開閉の際の指詰を防止し得るようにした金具、ならびに、それを備えた折り戸に関するものである。
【背景技術】
【０００２】
折り戸を開閉する際、折り畳み部分である２枚の扉の連結部に隙間が生じ、誤ってその隙間で指を詰めるという事態が起り得る。
【０００３】
このような指詰を防止するために、従来、折り戸の折り畳み部分である２枚の扉の連結部に生じる隙間を塞ぐことが提案されている（例えば、特許文献１〜３参照）。
【０００４】
【特許文献１】特開平９−２２８７３３号公報
【０００５】
【特許文献２】特開平１１−１５９２５４号公報
【０００６】
【特許文献３】特開２００２−３２２８８０号公報
【発明の開示】
【発明が解決しようとする課題】
【０００７】
特許文献１に記載された発明によれば、カバーを取り付けるための凹部を加工しなければならないだけでなく、カバーが経年変化により劣化し、破れたり、割れたりする可能性がある。
【０００８】
また、特許文献２に記載された発明によれば、指を詰めた際の痛みを軽減することはできるが、指詰防止という面では充分な効果が得られるものではない。
【０００９】
さらに、特許文献３に記載された発明によれば、折り戸の折り畳み部分である２枚の扉の端面に左右対称的なアーム部材を取り付け、両アーム部材の内端側に互いに噛み合う歯車部を形成し、互いに噛み合っている両歯車部の周囲を折り戸の表側から上下方向に長い支承材で覆い隠す方式であるから、指詰防止のための金具としては極めて複雑なものとなっているだけでなく、外観も余り芳しくない。
【００１０】
このように、従来の場合においては、指詰防止部材の構造が比較的簡単なものは、指詰防止という面で充分なものということができない。逆に、指詰防止という面で充分な効果が得られるものは、構造が極めて複雑になっている。
【００１１】
本発明は、これらの欠点を解消するために、比較的構造が簡単で、しかも、指詰防止という面で充分な効果が得られる指詰防止金具を提供するとともに、当該指詰防止金具を折り戸の折り畳み部分に配置することによって、指詰防止という面で充分な効果が得られる折り戸を提供することを目的とするものである。
【課題を解決するための手段】
【００１２】
比較的構造が簡単で、しかも、指詰防止という面で充分な効果が得られる指詰防止金具を提供するという目的を達成するために、本発明によれば、折り戸の折り畳み部分に配置されるものであって、少なくとも、前記折り畳み部分である折り戸の内端面に沿って添装される添装片と、この添装片の前端部に位置し、前記折り畳み部分の表側に位置させ得る保持片と、前記添装片の後端部に位置し、前記折り戸の裏面に対して鋭角をなして前記裏面に係合させ得る弾撥片とで構成される左右対称的な２つのテンションスプリングと、前記両テンションスプリングの各保持片を嵌入させ得る縦溝を左右対称的に形成した指詰防止バーとで指詰防止金具を構成する。
【００１３】
この指詰防止金具は折り戸の折り畳み部分に配置され、左右対称的な２つのテンションスプリングの添装片が前記折り畳み部分である２枚の扉の端面に沿って添装され、この添装片の前端部に位置する保持片が前記折り畳み部分の表側に位置せしめられ、前記添装片の後端部に位置する弾撥片が前記折り戸の裏面に対して鋭角をなして前記裏面に係合せしめられる。そして、前記左右対称的な２つのテンションスプリングの各保持片が、折り戸の折り畳み部分の表側に位置する指詰防止バーの左右対称的な縦溝に嵌入せしめられる。
【００１４】
かくして、折り戸を閉じた場合にも、また、折り戸を開けた（折り畳んだ）場合にも、さらに、その途中の状態の状態でも、折り戸の折り畳み部分の表側においては、折り戸の連結部が本発明による指詰防止金具の指詰防止バーで覆い隠され、その部分に隙間が生じないので、目的とする指詰防止という面で充分な効果が得られる。
【００１５】
一方、折り戸を開いた（折り畳んだ）場合には、折り戸の折り畳み部分の裏側において折り戸の裏面に係合している両弾撥片がいずれも撓み、その弾撥力により折り戸が閉じる方向に付勢されているので、折り戸を開いた（折り畳んだ）状態から軽く閉じることができる。
【００１６】
テンションスプリングの添装片と保持片と弾撥片の３部材が上下に間隔を置いて配置され、上下２つの保持片と弾撥片とを連結片でそれぞれ連結して一体化したものとすることが望ましい。このようにした場合には、１つのテンションスプリングを折り戸の折り畳み部分に安定して装着することができるとともに、上下２つの弾撥片の弾撥力により２枚の扉が閉じる方向にさらに付勢されることになるので、折り戸を開いた（折り畳んだ）状態からさらに軽く閉じることができる。
【００１７】
指詰防止バーの左右対称的な縦溝の上下両端部に嵌入させ得る脚片を有するキャップがさらに備えられていることが望ましい。この場合には、指詰防止バーの左右対称的な縦溝の上下両端部にキャップの脚片を嵌入せしめることができ、このキャップは折り戸の上下両端面に沿い、指詰防止バーの上下両端部を覆うことができる。
【００１８】
また、指詰防止という面で充分な効果が得られる折り戸を提供するという目的を達成するために、本発明によれば、折り戸の折り畳み部分である内端面に沿って、左右対称的な２つの前記テンションスプリングの各添装片をそれぞれ添装し、両添装片の前端部に位置する各保持片を前記折り畳み部分の表側にそれぞれ位置させるとともに、前記両添装片の後端部に位置する各弾撥片を前記折り戸の裏面に対して鋭角をなして前記裏面にそれぞれ係合させ、前記折り戸の折り畳み部分に上下方向に配置した指詰防止バーの左右対称的な縦溝に、前記両テンションスプリングの各保持片を嵌入してある。
【００１９】
したがって、この折り戸を閉じた場合にも、また、折り戸を開けた（折り畳んだ）場合にも、さらに、その途中の状態でも、折り戸の折り畳み部分の表側においては、折り戸の連結部が指詰防止バーで覆い隠され、その部分に隙間が生じないので、目的とする指詰防止という面で充分な効果が得られる。
【００２０】
一方、折り戸を開いた（折り畳んだ）場合には、折り戸の折り畳み部分の裏側において折り戸の裏面に係合している左右対称的な２つのテンションスプリングの両弾撥片がいずれも撓み、その弾撥力により折り戸が閉じる方向に付勢されているので、折り戸を開いた（折り畳んだ）状態から軽く閉じることができる。
【００２１】
１つの折り戸に対して、左右対称的な２つのテンションスプリングが上下に複数組配置されていることが望ましい。左右対称的な２つのテンションスプリングを上下に複数組配置した場合には、上下方向に配置されている２つのテンションスプリングの各弾撥片の弾撥力により折り戸が閉じる方向にさらに付勢されることになるので、折り戸を開いた（折り畳んだ）状態からさらに軽く閉じることができる。
【００２２】
指詰防止バーの長さを折り戸の高さに合わせ、この指詰防止バーの左右対称的な縦溝の上下両端部に、キャップの脚片を嵌入して指詰防止バーの上下両端を前記キャップで覆っておくことが望ましい。このようにした場合には、前記キャップは折り戸の折り畳み部分の上下両端面に沿い、左右対称的な縦溝が形成されている指詰防止バーの上下両端を覆い隠すことができるので、体裁が良いのみならず、上下方向に長い指詰防止バーが折り戸の折り畳み部分から妄りに外れるのを防止できる。
【発明の効果】
【００２３】
請求項１記載の発明によれば、折り戸の折り畳み部分の表側に指詰防止金具の指詰防止バーが位置しているので、目的とする指詰防止という面で充分な効果が得られる。一方、折り戸を開いた（折り畳んだ）場合において、折り戸の裏面に係合している両弾撥片の弾撥力により折り戸が閉じる方向に付勢されているので、折り戸を開いた（折り畳んだ）状態から軽く閉じることができる。
【００２４】
請求項２記載の発明によれば、１つのテンションスプリングを折り戸の折り畳み部分に安定して装着することができる。一方、上下２つの弾撥片の弾撥力により折り戸が閉じる方向にさらに付勢されることになり、折り戸を開いた（折り畳んだ）状態からさらに軽く閉じることができる。
【００２５】
請求項３記載の発明によれば、このキャップは折り戸の上下両端面に沿い、指詰防止バーの左右対称的な縦溝の上下両端部にキャップの脚片を嵌入せしめることができるので、指詰防止バーの上下両端部を前記キャップで覆うことができる。
【００２６】
請求項４記載の発明によれば、折り戸の折り畳み部分の表側に指詰防止バーが位置しているので、目的とする指詰防止という面で充分な効果が得られる。一方、折り戸を開いた（折り畳んだ）場合において、折り戸の裏面に係合している左右対称的なテンションスプリングの両弾撥片の弾撥力により折り戸が閉じる方向に付勢されているので、折り戸を開いた（折り畳んだ）状態から軽く閉じることができる。
【００２７】
請求項５記載の発明によれば、上下方向に配置されている２つのテンションスプリングの各弾撥片の弾撥力により折り戸が閉じる方向にさらに付勢されることになるので、折り戸を開いた（折り畳んだ）状態からさらに軽く閉じることができる。
【００２８】
請求項６記載の発明によれば、キャップが折り戸の折り畳み部分の上下両端面に沿い、指詰防止バーの上下両端を覆い隠すことができるので、体裁が良い。また、上下方向に長い指詰防止バーが折り戸の折り畳み部分から妄りに外れるのを防止できる。
【発明を実施するための最良の形態】
【００２９】
本発明を実施するための最良の形態を、図面に基づいて詳細に説明する。
折り戸とは、通常、複数枚の扉１，１の折り畳み部分を複数の蝶番２，２で連結し、複数枚の扉１，１を開閉自在としたものである。図１では、折り戸Ａの設置場所であるクローゼットその他の開放部Ｂに、左右２枚の扉１，１が左右に２組配置され、それらにより前記開放部Ｂを開閉する場合を例示する。折り畳み得る扉１の枚数は左右２枚に限定されるものではなく、必要枚数を前記複数の蝶番２，２で折り畳み可能に互いに連結すれば良い。
【００３０】
折り戸Ａで前記開放部Ｂを開閉するに当って、前記開放部Ｂの上側には、図３に示すように、上側用のレールＣが配置されている。そして、折り戸Ａの２枚の扉１，１の裏面の上外隅付近に吊用ホルダ３を介して吊車４，４を取り付け、両吊車４，４の左右一対のローラ４ａ，４ａを前記レールＣの溝ｃ内で走行させることができるようにしてある。
【００３１】
また、前記開放部Ｂの下側には、同じく図３に示すように、下側用のレールＤが配置されている。そして、折り戸Ａの２枚の扉１，１の裏面の下外隅付近にガイドローラ５，５を取り付け、両ガイドローラ５，５を前記レールＤの溝ｄ内で走行させることができるようにしてある。
【００３２】
折り戸Ａの左右２枚の扉１，１の任意の位置に取り付けられている把手（図示しない）を握って上下一対のレールＣ，Ｄに沿って吊車４，４とガイドローラ５，５とを走行させることにより、２枚の扉１，１を開いたり（折り畳んだり）、閉じたりすることができ、それにより前記開放部Ｂを開閉することができる。
【００３３】
この２枚の扉１，１の折り畳み部分には、上下方向に長い指詰防止金具Ｅが配置されている。この指詰防止金具Ｅは、図６に示す左右対称的な２つのテンションスプリング６，６と、両テンションスプリング６，６の各保持片６ｂ，６ｂを嵌入させ得る縦溝７ａ，７ａを左右対称的に形成した図７に示す指詰防止バー７と、前記指詰防止バー７の左右対称的な縦溝７ａ，７ａの上下両端部に嵌入させ得る脚片８ａ，８ａを有する図８に示すキャップ８とからなっている。
【００３４】
左右対称的な２つのテンションスプリング６，６は、図６に示すように、前記折り畳み部分である２枚の扉１，１の端面に沿って添装される添装片６ａ，６ａと、この添装片６ａ，６ａの前端部に位置し、前記両扉１，１の表側に位置させ得る保持片６ｂ，６ｂと、前記添装片６ａ，６ａの後端部に位置し、前記両扉１，１の裏面に対して鋭角をなして前記両扉１，１の裏面に係合させ得る弾撥片６ｃ，６ｃとで構成されている。テンションスプリング６は、鋼、鉄等弾撥力を有する線材で形成することができ、折り戸Ａの２枚の扉１，１の大きさ、重さに応じて前記線材の太さならびに設置する数を適宜調整することができる。
【００３５】
指詰防止バー７には、図７に示すように、前記両テンションスプリング６，６の各保持片６ｂ，６ｂを嵌入させ得る縦溝７ａ，７ａが左右対称的に形成されている。ここには、図１及び図２に示すように、指詰防止バー７の長さを折り戸Ａの２枚の扉１，１の高さに合わせた場合を例示するが、必ずしもその長さにする必要はなく、例えば、指を詰めやすい部分のみに配置し得るように短くしても良い。また、指詰防止バー７は例えばアルミニウム製とすることができるが、樹脂で形成しても良い。
【００３６】
また、前記キャップ８は、図８に示すように、前記指詰防止バー７の左右対称的な縦溝７ａ，７ａの上下両端部に嵌入させ得る脚片８ａ，８ａを有している。したがって、図５に示すように、指詰防止バー７の左右対称的な縦溝７ａ，７ａの上下両端部にキャップ８の脚片８ａ，８ａを嵌入することができ、指詰防止バー７の上下両端部をこのキャップ８で覆うことができる。
【００３７】
このような指詰防止金具Ｅを折り戸Ａの左右２枚の扉１，１の折り畳み部分に取り付けるに当っては、図４(a)に示すように、折り戸Ａの折り畳み部分である２枚の扉１，１の両内端面１ａ，１ａに沿って、左右対称的な２つの前記テンションスプリング６，６の各添装片６ａ，６ａをそれぞれ添装し、両添装片６ａ，６ａの前端部に位置する各保持片６ｂ，６ｂを前記２枚の扉１，１の表側１ｂ，１ｂにそれぞれ位置させるとともに、前記両添装片６ａ，６ａの後端部に位置する各弾撥片６ｃ，６ｃを前記２枚の扉１，１の裏面１ｃ，１ｃに対して鋭角をなして前記裏面１ｃ，１ｃにそれぞれ係合させる。そして、前記折り戸Ａの折り畳み部分に上下方向に配置した長尺状の指詰防止バー７の左右対称的な縦溝７ａ，７ａに、前記両テンションスプリング６，６の各保持片６ｂ，６ｂを嵌入する。
【００３８】
このように、前記指詰防止金具Ｅが折り戸Ａの２枚の扉１，１の折り畳み部分に取り付けられていると、図４(a)に示すように、２枚の扉１，１を閉じた場合にも、また、図４(b)に示すように、２枚の扉１，１を開けた（折り畳んだ）場合にも、さらに、その途中の状態でも、折り戸Ａの２枚の扉１，１の折り畳み部分の表側においては、折り戸Ａの２枚の扉１，１の連結部が指詰防止バー７で覆い隠され、その部分に隙間が生じないので、目的とする指詰防止という面で充分な効果が得られる。
【００３９】
一方、図４(b)に示すように、折り戸Ａを開いた（折り畳んだ）場合には、折り戸Ａの２枚の扉１，１の折り畳み部分の裏側において、２枚の扉１，１の裏面１ｃ，１ｃに係合している左右対称的な２つのテンションスプリング６，６の両弾撥片６ｃ，６ｃがいずれも撓み、その弾撥力により２枚の扉１，１が閉じる方向に付勢されているので、折り戸Ａの２枚の扉１，１を開いた（折り畳んだ）状態から軽く閉じることができる。
【００４０】
ここには、図６(a)に示すように、テンションスプリング６の添装片６ａと保持片６ｂと弾撥片６ｃの３部材が上下に間隔を置いて配置され、上下２つの保持片６ｂ，６ｂと上下２つの弾撥片６ｃ，６ｃとを２つの連結片６ｄ，６ｄでそれぞれ連結して一体化した場合が例示されている。このようにした場合には、１つのテンションスプリング６を折り戸Ａの２枚の扉１，１の折り畳み部分に安定して装着することができるとともに、上下２つの弾撥片６ｃ，６ｃの弾撥力により２枚の扉１，１が閉じる方向にさらに付勢されることになるので、折り戸Ａの２枚の扉１，１を開いた（折り畳んだ）状態からさらに軽く閉じることができる。
【００４１】
また、ここには、１つの折り戸Ａに対して、左右対称的な２つのテンションスプリング６，６を左右１組配置した場合を例示するが、左右１組のテンションスプリング６，６を上下に複数組配置することもできる。この場合には、上下に複数組配置されているテンションスプリング６，６の各弾撥片６ｃ，６ｃの弾撥力により、折り戸Ａの２枚の扉１，１が閉じる方向にさらに付勢されることになるので、折り戸Ａの２枚の扉１，１を開いた（折り畳んだ）状態からさらに軽く閉じることができる。
【００４２】
さらに、ここには、指詰防止バー７の長さを折り戸Ａの２枚の扉１，１の高さに合わせた場合が例示されている。したがって、この指詰防止バー７の左右対称的な縦溝７ａ，７ａの上下両端部に前記キャップ８の脚片８ａ，８ａを嵌入すると、このキャップ８は折り戸Ａの２枚の扉１，１の上下両端面に沿い、指詰防止バー７の上下両端を覆い隠すことができるので、体裁が良いのみならず、上下方向に長い指詰防止バー７が折り戸Ａの２枚の扉１，１の折り畳み部分から妄りに外れるのを防止できる。
【００４３】
なお、指詰防止バー７を折り戸Ａの２枚の扉１，１の高さよりも短くし、例えば、指を詰めやすい部分のみに指詰防止バー７を配置した場合には、折り戸Ａの２枚の扉１，１を連結する蝶番２，２で当該指詰防止バー７を支えるようにすれば良い。
【図面の簡単な説明】
【００４４】
【図１】本発明による指詰防止金具を備えた折り戸の一例を示す斜視図で、左右にある２枚の扉をそれぞれ開いた（折り畳んだ）状態を示す。
【図２】図１に示す折り戸の折り畳み部分を示す斜視図で、(a)は折り戸の折り畳み部分を表側から見た状態を、(b)は折り戸の折り畳み部分を裏側から見た状態を示す。
【図３】折り戸の２枚の扉を開閉するための機構の一例を示す斜視図である。
【図４】本発明による指詰防止金具を折り戸の折り畳み部分に配置した状態を平面的に示す拡大断面図で、(a)は、折り戸を閉じた状態を、(b)は、折り戸を開いた（折り畳んだ）状態を示す。
【図５】本発明による指詰防止金具の指詰防止バーの左右対称的な縦溝の上下両端部にキャップの脚片を嵌入し、指詰防止バーの上下両端部をこのキャップで覆った状態を平面的に示す拡大断面図である。
【図６】本発明による指詰防止金具の構成部品の１つであるテンションスプリングの一例を示す図で、(a)は斜視図、(b)はその平面図である。
【図７】本発明による指詰防止金具の構成部品の１つである指詰防止バーの一例を示す図で、(a)は斜視図、(b)はその平面図である。
【図８】本発明による指詰防止金具の構成部品の１つであるキャップの一例を示す図で、(a)は斜視図、(b)はその底面図である。
【符号の説明】
【００４５】
１…扉、１ａ…内端面、１ｂ…表側、１ｃ…裏面、２…蝶番、６…テンションスプリング、６ａ…添装片、６ｂ…保持片、６ｃ…弾撥片、６ｄ…連結片、７…指詰防止バー、７ａ…縦溝、８…キャップ、８ａ…脚片、Ａ…折り戸、Ｅ…指詰防止金具。
【図１】
2010126951.tif 000003
【図２】
2010126951.tif 000004
【図３】
2010126951.tif 000005
【図４】
2010126951.tif 000006
【図５】
2010126951.tif 000007
【図６】
2010126951.tif 000008
【図７】
2010126951.tif 000009
【図８】
2010126951.tif 000010